(57)【要約】【課題】強度を確保しつつ、収納室の容量を増加させる。【解決手段】商品を収納する収納室が内部に形成された本体部３と、本体部３の前面の下端部を横方向に延び、本体部３に着脱可能に固定される前側フレーム１１と、前端が前側フレーム１１に固定され、底面が前側フレームの上面より下方に配置されるとともに、収納室の下方で本体部３の内部と外部との間をスライド可能なスライドベース５と、スライドベース５に載置され本体部３に収納される冷却ユニット６と、を含んでショーケースを構成する。【選択図】図２
2008014513.tif 000002
【特許請求の範囲】
【請求項１】
物品を収納する収納室が内部に形成された本体部と、
前記本体部の一側面の下端部を横方向に延び、前記本体部に着脱可能に固定されるフレームと、
一側端が前記フレームに固定され、底面が前記フレームの上面より下方に配置されるとともに、前記収納室の下方で前記本体部の内部と外部との間をスライド可能なスライドベースと、
前記スライドベースに載置され前記本体部に収納される構造物と、
を含んで構成されることを特徴とするショーケース。
【請求項２】
前記構造物は、前記収納室内を冷却する冷却ユニットであることを特徴とする請求項１に記載のショーケース。
【請求項３】
前記スライドベースは、前記底面が遮蔽されかつ上面が開口した箱形状に形成されたことを特徴とする請求項１または２に記載のショーケース。
【発明の詳細な説明】
【技術分野】
【０００１】
本発明は、商品等の物品を収納するショーケースに係り、特に、冷却ユニット等の構造物を内蔵したショーケースに関する。
【背景技術】
【０００２】
コンビニエンスストア等の店舗には、一般的に、アイス等の商品を陳列するために冷却機能を備えたショーケースが設置されている。このようなショーケースのように物品を収納しかつ冷却機能を有するものにおいて、その本体部から前方にスライド可能なスライドベースが設けられる場合がある。このものでは、スライドベースの上に冷却ユニットが載置されており、スライドベースを前方にスライドさせて冷却ユニットを本体部から外部に引き出して露出させることにより、冷却ユニットのメンテナンスや修理を容易に行うことができる（特許文献１参照）。
【特許文献１】特開２０００−３１０４７４号公報
【発明の開示】
【発明が解決しようとする課題】
【０００３】
上記のような冷却機能を備えたショーケースでは、通常、商品の収納室の下方に冷却ユニットが内蔵されている。このように、収納室の下方に冷却ユニットが内蔵されている場合では、収納室の容量を確保するために、スライドベースをショーケースの本体部の下端に設け冷却ユニットを極力下方に配置させることが望ましい。
しかしながら、ショーケースの下端部には、本体部の強度を確保するために、ショーケースの前端部を幅方向に延びるフレームが備えられている。このようなフレームが備えられたショーケースでは、スライドベースを前方にスライドしたときにフレームに干渉しないように、スライドベースをフレームの上方に配置せざるを得ない。したがって、冷却ユニットがフレームより上方に位置することとなるので、収納室の高さが抑制されて容量が減少してしまう。  
【０００４】
本発明はこのような問題点を解決するためになされたもので、その目的とするところは、強度を確保しつつ、冷却ユニット等の構造物を載置したスライドベースを極力下方に配置してショーケースの収納室の容量を増加させることにある。
【課題を解決するための手段】
【０００５】
上記の目的を達成するために、請求項１の発明は、物品を収納する収納室が内部に形成された本体部と、前記本体部の一側面の下端部を横方向に延び、前記本体部に着脱可能に固定されるフレームと、一側端が前記フレームに固定され、底面が前記フレームの上面より下方に配置されるとともに、前記収納室の下方で前記本体部の内部と外部との間をスライド可能なスライドベースと、前記スライドベースに載置され前記本体部に収納される構造物と、を含んでショーケースを構成することを特徴とする。
【０００６】
また、請求項２の発明は、請求項１の発明において、前記構造物が前記収納室内を冷却する冷却ユニットであることを特徴とする。
また、請求項３の発明は、請求項１または２の発明において、前記スライドベースを、前記底面が遮蔽されかつ上面が開口した箱形状に形成することを特徴とする。  
【発明の効果】
【０００７】
本発明の請求項１のショーケースによれば、スライドベースの底面がフレームの上面より下方に位置しているので、構造物がフレームの上面より下方で搭載される。したがって、構造物を本体部の下端近傍まで下方に配置可能となるので、構造物の上方に形成される収納室を上下方向に拡大させて、収納室の容量を増加させることができる。
また、フレームを本体部に固定することにより本体部の強度を確保することができる。一方、本体部からフレームを取り外すことにより、フレームに固定されているスライドベースがスライド可能となるので、スライドベースに搭載されている構造物を本体部から外部に引き出し、構造物のメンテナンスを容易に行うことができる。
【０００８】
また、請求項２のショーケースによれば、冷却ユニットを内蔵したショーケースの収納室の容量を増加させることができる。
また、請求項３のショーケースによれば、スライドベースは底板が遮蔽されかつ上面が開口した箱形状に形成されているので、構造物から水滴等の液体が落下してもスライドベース上に貯留され、それより下方に流出することなく、床の汚染を防止できる。
【発明を実施するための最良の形態】
【０００９】
以下、本発明の実施例を添付図面に基づいて説明する。
図１は、本発明に係るショーケースの全体図である。
図１に示すように、コンビニエンスストア、スーパーストア等の店舗に設置され、アイス等の商品を陳列するために用いられるショーケース１には、商品を収納する収納室２が備えられている。収納室２は、ショーケース１の本体部３の内部に形成されている。本体部３の上部には、収納室２内に商品を出し入れするために、開口部４が設けられている。本体部３の下部には、前方にスライド可能なスライドベース５が収納されている。スライドベース５には、収納室２内を冷却する冷却ユニット６が載置されている。スライドベース５の収納時には、冷却ユニット６は収納室２の下方に位置している。
【００１０】
図２にスライドベース５の取付構造の斜視図を示すように、スライドベース５は、本体部３の下部に設けられた本体側フレーム１０に挿入されて、本体部３内に収納されている。本体側フレーム１０は、角管状の右側フレーム１０ａの後端部と左側フレーム１０ｂの後端部とを後側フレーム１０ｃによって接続して全体がコの字状に形成されている。詳しくは、右側フレーム１０ａは本体部３の右側部を奥行き方向（図面上では左右方向）に延び、左側フレーム１０ｂは本体部３の左側部を奥行き方向に延び、後側フレーム１０ｃは本体部３の後部を幅方向（図面上では奥行き方向）に延びるように本体部３の下端部に配置されている。
【００１１】
右側フレーム１０ａの前端部と左側フレーム１０ｂの前端部との間には、前側フレーム１１がボルト１２により着脱可能に固定されている。前側フレーム１１は、例えば断面がコの字の棒状に形成されており、開口部が下方を向くように配置されている。なお、前側フレーム１１は、本発明のフレームに該当する。
図３に示すように、右側フレーム１０ａ及び左側フレーム１０ｂの底部には、本体部３の幅方向内側に向かって延出する鍔状の受け部材１４ａ、１４ｂが夫々設けられている。受け部材１４ａ、１４ｂは、右側フレーム１０ａ及び左側フレーム１０ｂの各前端部から後端部に亘って形成されており、スライドベース５を支持する機能を有する。
【００１２】
また、後側フレーム１０ｃには、その上面から前方に延出する鍔状の押さえ部材１５が設けられている。この押さえ部材１５は、格納時におけるスライドベース５の後端部を上方から押さえ、スライドベース５を本体部３に確実に固定する機能を有する。
図４に示すように、スライドベース５の前端は、上記前側フレーム１１に溶接等によって固着されている。スライドベース５は、上方が開口した箱形状に形成されており、その底面５ａ上に冷却ユニット６が載置されている。スライドベース５は、水滴等の液体が底板５ａの上面に落下した場合、そこから更に下方に（即ち、床に）流出しないように底板５ａが遮蔽されている。また、図５に図４のＡ矢視図としてスライドベース５の取付位置を側面図で示すように、スライドベース５の底面５ａは、前側フレーム１１の上面１１ａより下方に位置している。
【００１３】
以上のような構成のショーケース１では、図６に示すように、ボルト１２を外し、スライドベース５を前方に引き出すことによって、冷却ユニット６を本体部３から外部に露出させることができる。これにより、冷却ユニット６のメンテナンスや修理を容易に行うことができる。一方、本体側フレーム１０と前側フレーム１１とをボルト１２により締結することによって、本体部３の強度が確保される。これは、フォークリフトでショーケース１を持ち上げるときに特に有効である。  
【００１４】
そして、ショーケース１では、スライドベース５の底面５ａは、前側フレーム１１の上面１１ａより下方に位置しているので、冷却ユニット６が前側フレーム１１の上面１１ａより下方で搭載可能となる。したがって、冷却ユニット６を床面近傍まで下方に配置することが可能となり、収納室２を上下方向に拡大させて、収納室２の容量を増加させることができる。
【００１５】
また、スライドベース５の底板５ａは遮蔽されており水滴等の液体がその上面に落下しても更に下方に流出しないので、例えば結露により冷却ユニット６の表面に付着した水滴がスライドベース５上に落下した場合に、水滴はスライドベース５上に貯留され、床に流出することなく、床の汚染が防止される。この水滴は、上記のように結露に起因する場合では少量であるので、スライドベース５に貯留されてもやがて蒸発し、スライドベース５から溢れることはない。
【００１６】
更に、スライドベース５上にスポンジ等のような液体を吸収するシートを張り付けてもよい。これにより、スライドベース５上での液体の貯留性が向上するので、液体が床に更に流出し難くなる。
また、本実施形態では、スライドベース５上に冷却ユニット６が載置されているが、これに限定されるものではなく、収納室２の下方で本体部３に内蔵され、かつ本体部３から外部に引き出す必要のある構造物であればよい。
【図面の簡単な説明】
【００１７】
【図１】本発明に係るショーケースの全体図である。
【図２】スライドベースの取付構造を示す斜視図である。
【図３】本体側フレームの構造を示す斜視図である。
【図４】スライドベース及び前側フレームの構造を示す斜視図である。
【図５】スライドベースの取付位置を示す側面図である。
【図６】スライドベース引き出し時の構造を示す斜視図である。
【符号の説明】
【００１８】
１  ショーケース
２  収納室
３  本体部
５  スライドベース
５ａ  底面
６  冷却ユニット
１１  前側フレーム
１１ａ  上面
【図１】
2008014513.tif 000003
【図２】
2008014513.tif 000004
【図３】
2008014513.tif 000005
【図４】
2008014513.tif 000006
【図５】
2008014513.tif 000007
【図６】
2008014513.tif 000008